(57)【要約】【課題】暗所における視認性を高めることの可能な標識柱を提供する。【解決手段】標識柱は、標識柱本体１０と、標識柱本体１０に取り付けられて標識柱本体１０の周囲に配置された払拭部材１５とを備える。また、標識柱本体１０は、側面に反射部１２を有し、払拭部材１５は、蓄光部１７と光を透過する透過部とを備える。そして、払拭部材１５における反射部１２の少なくとも一部は、透過部と対向する。【選択図】図１
2014020050.tif 000002
【特許請求の範囲】
【請求項１】
標識柱本体と、
前記標識柱本体に取り付けられて前記標識柱本体の周囲に配置される払拭部材と、
を備え、
前記払拭部材は、蓄光部を有する
標識柱。
【請求項２】
前記標識柱本体は、側面に反射部を有し、
前記払拭部材は、光を透過する透過部をさらに備え、
前記反射部の少なくとも一部は、前記透過部と対向する
請求項１に記載の標識柱。
【請求項３】
前記蓄光部は、蓄光材を含む材料から形成されたシートであり、
前記払拭部材は、前記蓄光部が貼り付けられた透明なシートである
請求項２に記載の標識柱。
【請求項４】
前記払拭部材は、前記蓄光部と前記透過部とが一体に形成されたシートである
請求項２に記載の標識柱。
【請求項５】
前記払拭部材は、蓄光材を含む材料から形成されたシートであり、
前記払拭部材の全体が前記蓄光部である
請求項１に記載の標識柱。
【発明の詳細な説明】
【技術分野】
【０００１】
本開示の技術は、道路等に設置される標識柱に関する。
【背景技術】
【０００２】
一般に、標識柱は、車道と歩道との境界部や車線と車線との境界部に設置されて、道路の線形を示すために用いられる。従来から、こうした標識柱に対する夜間の視認性を向上させるために、標識柱に太陽電池を電源とするＬＥＤ（ライトエミッティングダイオード）を設けることが提案されている（例えば特許文献１参照）。このような標識柱では、昼間に太陽光を利用して内蔵バッテリーの充電が行われ、充電された内蔵バッテリーによって夜間にＬＥＤが点灯される。これにより、標識柱に対する夜間の視認性が向上される。
【先行技術文献】
【特許文献】
【０００３】
【特許文献１】特開２０１２−２１３９７号公報
【発明の概要】
【発明が解決しようとする課題】
【０００４】
一方、ＬＥＤから出射される光が指向性を有することが少なくないため、上述のような標識柱の視認性を高められる効果は、こうした指向性に応じた範囲に限られることとなる。
【０００５】
このような実情に鑑みて、本開示の技術は、暗所における視認性を高めることの可能な標識柱を提供することを目的とする。
【課題を解決するための手段】
【０００６】
本開示における標識柱の一態様は、標識柱本体と、前記標識柱本体に取り付けられて前記標識柱本体の周囲に配置される払拭部材と、を備え、前記払拭部材は、蓄光部を有する。
【０００７】
上記態様によれば、払拭部材が蓄光部を有しているため、太陽光等の光により蓄光部にエネルギーが蓄えられ、夜間等の暗所では蓄光部が発光する。そして、払拭部材が払拭を行う際には、払拭部材の移動に合わせて蓄光部が移動し、その蓄光部からの光の進行する方向が変わる。したがって、蓄光部材が標識柱本体に固定される場合に比べて、暗所における標識柱の視認性を高めることが可能となる。
【０００８】
本開示における標識柱の他の態様は、前記標識柱本体は、側面に反射部を有し、前記払拭部材は、光を透過する透過部をさらに備え、前記反射部の少なくとも一部は、前記透過部と対向する。
【０００９】
上記態様によれば、反射部の少なくとも一部が、払拭部材の透過部と対向するため、反射部による光の反射が払拭部材によって遮られることを抑制することができる。
本開示における標識柱の他の態様は、前記蓄光部は、蓄光材を含む材料から形成されたシートであり、前記払拭部材は、前記蓄光部が貼り付けられた透明なシートである。
【００１０】
上記態様によれば、蓄光部を設けるにあたって、標識柱の仕様の変更を抑えることができる。
本開示における標識柱の他の態様は、前記払拭部材は、前記蓄光部と前記透過部とが一体に形成されたシートである。
【００１１】
上記態様によれば、蓄光部と透過部とが一体に形成されるため、標識柱を構成する部品の部品点数が多くなることを抑えることが可能となる。
本開示における標識柱の他の態様は、前記払拭部材は、蓄光材を含む材料から形成されたシートであり、前記払拭部材の全体が前記蓄光部である。
【００１２】
上記態様によれば、払拭部材の全体が蓄光部となるため、蓄光部が払拭部材の一部とされる場合と比較して、発光する部分の面積が大きくなる。したがって、蓄光部の発光によって標識柱の視認性を高める効果が高められる。
【発明の効果】
【００１３】
本開示の技術によれば、暗所における標識柱の視認性を高めることが可能となる。
【図面の簡単な説明】
【００１４】
【図１】本開示における第１の実施形態の標識柱の側面構造を示す側面図である。
【図２】図１のＡ−Ａ線における断面構造を示す断面図である。
【図３】図１のＢ−Ｂ線における断面構造を示す断面図である。
【図４】本開示における第２の実施形態の標識柱の側面構造を示す側面図である。
【図５】図４のＣ−Ｃ線における断面構造を示す断面図である。
【図６】図４のＤ−Ｄ線における断面構造を示す断面図である。
【発明を実施するための形態】
【００１５】
（第１の実施形態）
本開示の技術におけるポストコーンの第１の実施形態について、図１〜図３を参照して説明する。
【００１６】
図１に示されるように、標識柱の骨格である標識柱本体としての本体部１０は、円筒形に形成された柱部１１と柱部１１の側面に設けられた３つの反射部１２とから構成される。柱部１１は、弾性を有する樹脂から形成されて外表面が赤色を呈している。３つの反射部１２の各々は、再帰反射材からなる白色のシートから形成されている。反射部１２は、柱部１１における軸方向の中央よりも上側にて、柱部１１の周方向の全体にわたって巻き付けられている。反射部１２は、柱部１１の軸方向に沿って所定の間隔をあけて配置され、３つの反射部１２のうち最も上側に配置される反射部１２は、柱部１１の上端との間に隙間を空けている。
【００１７】
本体部１０は、大径の円盤に小径の円盤が積み重ねられた二段の円盤状をなす台座部１３に固定されている。台座部１３が路面に固定されることにより、標識柱が道路等に設置される。台座部１３の外周面のうち小径の外周面にも、再帰反射シートからなる反射部１４が設けられている。
【００１８】
本体部１０の周囲には、反射部１２に付着した塵や埃等の付着物を払拭する払拭部材１５が取り付けられている。払拭部材１５は、ポリプロピレン製の透明なシートから形成された基層部１６と、基層部１６に貼付けられた蓄光部１７とから構成される。
【００１９】
基層部１６は、本体部１０における周方向の全体にわたり周方向に沿って延びる基端部１８と、基端部１８から延設されて本体部１０の軸方向に沿って延びる短冊状の複数の短冊部１９とからなる。短冊部１９にて基端部１８に連結された上端部は、最も上側に配置された反射部１２の上端よりも上側に配置されている。短冊部１９の自由端である下端部の外形は、側面視にて半円弧状をなし、最も下側に配置された反射部１２の下端よりも下側に配置されている。互いに隣接する短冊部１９の間には、本体部１０の周方向にて短冊部１９の幅と同じ幅を有する隙間が形成されている。基端部１８にて、互いに隣接する短冊部１９を連結する部分の外形は、短冊部１９の下端部の外形と同様に、側面視にて半円弧状をなしている。このような基層部１６の構造であれば、一枚のシートが打ち抜かれて基層部１６が形成される際に、一つの基層部１６以外の部分から他の基層部１６が形成される。そのため、一枚のシートから二つの基層部１６を同時に形成することができる。
【００２０】
払拭部材１５は、基層部１６の基端部１８が本体部１０の上端に巻き付けられることによって、本体部１０に取り付けられる。そして、本体部１０の上部にキャップ２０が被せられ、キャップ２０の上面の中央部に固定ピン２１が通されることにより、本体部１０の側面とキャップ２０の内側面とに基端部１８が挟持されて払拭部材１５が本体部１０に固定される。これにより、複数の短冊部１９の各々は、本体部１０の周囲にて、短冊部１９の上端部を揺動中心として揺動可能に垂れ下がる。したがって、自然風や車両の走行風によって短冊部１９が揺れ動いて反射部１２の表面を擦ることにより、反射部１２に付着した付着物が払拭される。このとき、隣接する短冊部１９の間に間隔があけられていることにより、短冊部１９同士が揺動によって絡まることが抑えられる。
【００２１】
蓄光部１７は、蓄光材を含む材料からなるシートである蓄光シートから形成されている。蓄光シートは、例えば、エーテル系の透明無黄変ウレタン材料中に、粒径１００μｍ以上１０００μｍ以下のアルミン酸塩系蓄光材が１０００ｇ／ｍ２以上２０００ｇ／ｍ２以下の練り込み量で練り込まれることによって形成される。複数の短冊部１９の各々では、本体部１０の軸方向にて互いに隣接する反射部１２と対向する部分が、光を透過する透過部として機能する。そして、複数の短冊部１９の外側面のうち、本体部１０の軸方向にて互いに隣接する２つの透過部の間に蓄光部１７は貼付けられている。
【００２２】
蓄光部１７の貼付け位置について、図２及び図３を参照して詳しく説明する。
図２に示されるように、本体部１０の径方向にて、複数の短冊部１９の各々の外側面のうち、反射部１２と対向する部分には、蓄光部１７は貼付けられていない。そして、反射部１２の外周面のうち短冊部１９に覆われない部分では、外部からの光が再帰反射する。また、反射部１２の外周面のうち短冊部１９に覆われる部分でも、短冊部１９が透明であるため、外部からの光は短冊部１９を通して再帰反射する。
【００２３】
図３に示されるように、本体部１０の径方向にて、複数の短冊部１９の各々の外側面のうち、反射部１２と対向しない部分には、蓄光部１７が貼付けられている。
すなわち、反射部１２の少なくとも一部は、払拭部材１５のうち蓄光部１７以外の部分と対向する。詳細には、蓄光部１７は、短冊部１９のうち、本体部１０の径方向にて反射部１２と対向しない部分に設けられている。換言すれば、本体部１０の軸方向にて、反射部１２と蓄光部１７とは相互に異なる位置に配置されている。
【００２４】
次に、本実施形態の標識柱の作用について説明する。
本実施形態では、太陽光等の光により蓄光部１７にエネルギーが蓄えられ、夜間等の暗所で蓄光部１７が発光する。したがって、標識柱の内部にＬＥＤを含めた電気回路等を設けずとも、基層部１６に蓄光部１７を貼付けるという簡易な構成によって、標識柱の暗所における視認性を高めることができる。これにより、光がない夜間の道路において、特に歩行者に対して注意を喚起することができる。また、払拭部材１５の短冊部１９に蓄光部１７が設けられているため、短冊部１９の揺動に伴って、蓄光部１７も揺動する。したがって、発光部が揺動するため、こうした標識柱の暗所での視認性が高められ、ひいては、標識柱による注意喚起効果が高められる。
【００２５】
なお、例えば、透明無黄変ウレタン材料中に粒径１００μｍ以上１０００μｍ以下のアルミン酸塩系蓄光材が１０００ｇ／ｍ２以上２０００ｇ／ｍ２以下の練り込み量で練り込まれることにより蓄光部１７が形成されるとする。こうした場合、日没後１２時間後においても、蓄光部１７の残光輝度は、人の目によって確認可能な１０ｍｃｄ／ｍ２以上に保たれる。したがって、日没後も長時間に渡って視認性を保つことができる。
【００２６】
また、通常、蓄光材は水の存在下では加水分解されて輝度が低下するが、エーテル系透明無黄変ウレタンは、加水分解による劣化や使用による変色が起こらない。したがって、透明無黄変ウレタン材料中に蓄光材が練り込まれることによって、蓄光材が透明無黄変ウレタンで保護されるため、蓄光材の発光性能が低下することを抑制することができる。
【００２７】
さらに、蓄光部１７が上述の材料及び練り込み量で形成されている場合には、耐候試験１０年相当においても、蓄光部１７の発光低下率は１０％以内である。一般に、太陽電池の耐用年数は、標識柱に備えられる類のもので５年〜７年程度であるため、本実施形態の標識柱は、太陽電池を備える場合よりも長期間の使用が可能である。その結果、標識柱の交換のためにかかる費用を削減することもできる。
【００２８】
また、短冊部１９が透明に形成されるとともに、蓄光部１７が短冊部１９のうちの反射部１２と対向しない部分に設けられているため、払拭部材１５によって反射部１２による再帰反射が遮られることがない。そのため、街路灯や車両のライトが反射部１２によって再帰反射されることによる車両等に対する標識柱の注意喚起の効果が高く維持される。
【００２９】
すなわち、夜間の道路において、歩行者に対しては蓄光部１７の発光によって注意が喚起される一方で、車両に対しては反射部１２および反射部１４の再帰反射によって注意が喚起されることとなるため、より多くの道路利用者に対して注意喚起を図ることができる。
【００３０】
なお、本実施形態では、払拭部材１５は基層部１６に蓄光部１７が貼付けられることによって形成されたが、払拭部材１５は、二色成形によって蓄光部１７と透過部とが一体に形成されてもよい。これによれば、部品数を削減して標識柱を軽量化することが可能となる。
【００３１】
以上説明したように、第１の実施形態によれば、以下に列挙する効果が得られる。
（１）払拭部材１５が蓄光部１７を有しているため、蓄光部１７の発光という簡易な構成によって、標識柱の暗所での視認性を高めることができる。
【００３２】
（２）払拭部材１５における蓄光部１７以外の部分が光を透過する透過部とされるとともに、蓄光部１７が、払拭部材１５のうちの反射部１２と対向しない部分に配されるため、払拭部材１５によって反射部１２による再帰反射が遮られることが抑えられる。
【００３３】
（３）蓄光部１７が、基層部１６に蓄光シートが貼付けられることにより形成されるため、標識柱の仕様を変更することなく蓄光部１７を設けることができる。
（第２の実施形態）
本開示の技術における標識柱の第２の実施形態について、図４〜図６を参照して説明する。なお、本実施形態は、第１の実施形態とは払拭部材の構成が異なり、その他の基本的な構成は第１の実施形態と同様である。そのため、図４〜図６では、払拭部材の構成を詳細に説明し、第１の実施形態と実質的に同一の構成要素にはそれぞれ同一の符号を付して示し、重複する説明は割愛する。
【００３４】
図４に示されるように、払拭部材２２は、第１の実施形態における払拭部材１５の基層部１６と同様の形状に形成されている。そして、本実施形態では、払拭部材は２２は、その全体が、蓄光材を含む材料からなるシートから形成されている。このシートは、例えば、エーテル系の透明無黄変ウレタン材料中に、粒径１００μｍ以上１０００μｍ以下のアルミン酸塩系蓄光材が１０００ｇ／ｍ２以上２０００ｇ／ｍ２以下の練り込み量で練り込まれることによって形成される。
【００３５】
図５に示されるように、本体部１０の径方向にて、払拭部材２２と反射部１２とが互いに対向する。したがって、払拭部材２２が揺れ動いて反射部１２の表面を擦ることにより、反射部１２に付着した付着物が払拭され、こうした払拭機能を有する払拭部材２２は、蓄光部としても機能する。
【００３６】
図６に示されるように、本体部１０の径方向にて、柱部１１のうち反射部１２が設けられていない部分とも払拭部材２２は互いに対向し、こうした払拭部材２２が、蓄光部として機能する。すなわち、本実施形態では、払拭部材２２の全体が蓄光部として機能する。
【００３７】
次に、本実施形態の標識柱の作用について説明する。
本実施形態では、太陽光等の光により蓄光シートからなる払拭部材２２にエネルギーが蓄えられ、夜間等の暗所で払拭部材２２が発光する。したがって、標識柱の暗所における視認性を高めることができる。また、発光部が揺動することにより、こうした標識柱の暗所での視認性が高められ、ひいては、標識柱による注意喚起効果が高められる。
【００３８】
また、払拭部材２２の全体が蓄光部として機能するため、蓄光部が払拭部材の一部とされる場合と比較して、発光する部分の面積が大きくなる。したがって、蓄光部の発光による注意喚起の効果が高められる。
【００３９】
以上説明したように、第２の実施形態によれば、第１の実施形態の（１）の効果に加え、以下の効果が得られる。
（４）払拭部材２２が蓄光シートから形成されることにより、払拭部材２２の全体が蓄光部として機能する。したがって、蓄光部が払拭部材の一部とされる場合と比較して、発光する部分の面積が大きくなるため、蓄光部の発光による注意喚起の効果が高められる。
【００４０】
（他の実施形態）
上記各実施形態は、以下のように変更して実施することが可能である。
・第１の実施形態において、蓄光部１７は、短冊部１９における本体部１０に面する側面、すなわち、短冊部１９の内側面に貼付けられていてもよい。ただし、蓄光部１７が短冊部１９の外側面に貼付けられる場合には、短冊部１９と蓄光部１７との間の接着層による光の散乱や吸収が抑えられるため、蓄光部１７の発光輝度が低くなることが抑えられる。
【００４１】
・第１の実施形態において、払拭部材１５における反射部１２と対向する部分に、蓄光部１７が配される領域があってもよい。また、払拭部材１５における反射部１２と対向しない部分に、蓄光部１７が配されない領域があってもよい。要は、反射部１２の少なくとも一部が、払拭部材１５における蓄光部１７以外の部分と対向する態様であれば、上記（２）の効果に準じた効果は得られる。なお、蓄光部１７の数に限りがある場合には、短冊部１９の揺動による視認性の向上効果を得るうえで、蓄光部１７の位置は、本体部１０の軸方向にて、短冊部１９の中央よりも下側であることが好ましく、短冊部１９の先端部であることがより好ましい。
【００４２】
・蓄光部の形成材料は上述の材料に限られない。光のエネルギーを蓄えて発光する材料であれば、蓄光部の形成材料とすることができる。
・反射部１２の設けられる位置や数は任意である。例えば、本体部１０から反射部１２が省略されてもよい。こうした構成であっても、上記（１）に準じた効果は得られる。
【符号の説明】
【００４３】
１０…本体部、１１…柱部、１２，１４…反射部、１３…台座部、１５，２２…払拭部材、１６…基層部、１７…蓄光部、１８…基端部、１９…短冊部、２０…キャップ、２１…固定ピン。
【図１】
2014020050.tif 000003
【図２】
2014020050.tif 000004
【図３】
2014020050.tif 000005
【図４】
2014020050.tif 000006
【図５】
2014020050.tif 000007
【図６】
2014020050.tif 000008
【手続補正書】
【提出日】平成24年11月5日(2012.11.5)
【手続補正１】
【補正対象書類名】明細書
【補正対象項目名】００１５
【補正方法】変更
【補正の内容】
【００１５】
（第１の実施形態）
本開示の技術における標識柱の第１の実施形態について、図１〜図３を参照して説明する。